(57)【要約】      （修正有）【課題】デスクトップ画面上におけるアイコンのタイリングが不要となる新規なＧＵＩを備える携帯端末機、アイコン表示プログラム、記憶媒体及びアイコン表示方法を提供する。【解決手段】携帯端末機１Ａは、タッチパネル２Ａと、タッチパネル２Ａが位置入力を検出したとき、位置入力に対応する入力位置Ｐを中心にして複数のアイコンＩＣが略円弧状に配置されるアイコン配置画像をタッチパネル２Ａに表示させる表示制御手段と、を備える。携帯端末機１Ａにアイコン表示プログラムがインストールされることにより、その携帯端末機１Ａにおいてアイコン表示方法がＧＵＩとして実行される。アイコン表示プログラムは、ＣＤやＵＳＢ型メモリなどの記憶媒体からＰＣを介してインストールする。【選択図】図７
2013222238.tif 000002
【特許請求の範囲】
【請求項１】
タッチパネルと、
前記タッチパネルが位置入力を検出したとき、前記位置入力に対応する入力位置を中心にして複数のアイコンが略円弧状又は略円周状に配置されるアイコン配置画像を前記タッチパネルに表示させる表示制御手段と、
を備える携帯端末機。
【請求項２】
前記タッチパネルは、入力領域全体の縦方向及び横方向を各２分割して得た合計４個の分割入力領域を有しており、
前記表示制御手段は、１個の前記分割入力領域において前記位置入力を検出したとき、前記入力位置を中心として前記位置入力を検出した前記１個の分割入力領域から他の３個の前記分割入力領域に向かう方向を径方向とする約１／４円の略円弧状に前記複数のアイコンが配置される前記アイコン配置画像を前記タッチパネルに表示させる、請求項１に記載の携帯端末機。
【請求項３】
前記タッチパネルは、入力領域全体の中央付近に配置された中央入力領域と、前記中央入力領域を除いた前記入力領域全体の縦方向及び横方向を各２分割して得た４個の分割入力領域を有しており、
前記表示制御手段は、前記中央入力領域において前記位置入力を検出したとき、前記入力位置を中心とする略円周状に前記複数のアイコンが配置される前記アイコン配置画像を前記タッチパネルに表示させると共に、１個の前記分割入力領域において前記位置入力を検出したとき、前記入力位置を中心として前記位置入力を検出した前記１個の分割入力領域から他の３個の前記分割入力領域に向かう方向を径方向とする約１／４円の略円弧状に前記複数のアイコンが配置される前記アイコン配置画像を前記タッチパネルに表示させる、請求項１に記載の携帯端末機。
【請求項４】
前記アイコン配置画像を表示させるために前記タッチパネルに行われる前記位置入力が前記４個の分割入力領域及び前記中央入力領域を含むすべての入力領域のうちのどの前記入力領域に偏っているかを統計し、前記位置入力の頻度が高い前記入力領域を判別する入力頻度判別手段と、を更に備えており、
前記表示制御手段は、前記タッチパネルに表示させるすべての前記複数のアイコンから選択頻度の高い複数のアイコンを、前記位置入力の頻度が高い前記入力領域の位置入力により表示させる、請求項２又は請求項３に記載の携帯端末機。
【請求項５】
前記表示制御手段は、前記タッチパネルが前記位置入力を検出したとき、前記入力位置から前記複数のアイコンが放射状に放出されるアイコン放射画像を前記タッチパネルに表示させた後、前記アイコン配置画像を前記タッチパネルに表示させる、請求項１から請求項４のいずれか１項に記載の携帯端末機。
【請求項６】
前記位置入力は、前記タッチパネルに対するシングルタップ入力であり、
前記表示制御手段は、前記タッチパネルが他の位置入力を検出するまで、前記アイコン配置画像を前記タッチパネルに継続して表示させる、請求項１から請求項５のいずれか１項に記載の携帯端末機。
【請求項７】
前記表示制御手段は、前記タッチパネルが前記位置入力を検出するまで、前記タッチパネルに表示されるデスクトップ画面上に、前記アイコンを含むすべてのＵＩグラフィックを前記タッチパネルに表示させない、請求項１から請求項６のいずれか１項に記載の携帯端末機。
【請求項８】
測位センサ、加速度センサ及び方位センサのうちの少なくとも１つ以上から得たセンサデータ及び地図データに基づき現在のロケーションを判別するロケーション判別手段と、を更に備えており、
前記表示制御手段は、前記現在のロケーションに応じて前記複数のアイコンの取捨選択及び並び替えを行う、請求項１から請求項７のいずれか１項に記載の携帯端末機。
【請求項９】
前記表示制御手段は、前記複数のアイコンの選択頻度に応じて前記複数のアイコンの取捨選択及び並び替えを行う、請求項１から請求項７のいずれか１項に記載の携帯端末機。
【請求項１０】
タッチパネルと、
前記タッチパネルが位置入力を検出したとき、前記位置入力に対応する入力位置を中心にして複数のアイコンが略円弧状又は略円周状に配置されるアイコン配置画像を前記タッチパネルに表示させる表示制御手段と、
としてコンピュータを機能させるアイコン表示プログラム。
【請求項１１】
請求項１０に記載のアイコン表示プログラムを記憶する記憶媒体。
【請求項１２】
タッチパネルに入力された位置入力を検出する検出ステップと、
前記位置入力に対応する入力位置を中心にして複数のアイコンが略円弧状又は略円周状に配置されるアイコン配置画像を前記タッチパネルに表示させる画像制御ステップと、
を備えるアイコン表示方法。
【発明の詳細な説明】
【技術分野】
【０００１】
本発明は、携帯端末機、アイコン表示プログラム、記憶媒体及びアイコン表示方法に係り、特に、スマートフォンと称される大型のタッチパネルを有する携帯用通信端末機におけるメニューアイコンの表示に好適に利用できる携帯端末機、アイコン表示プログラム、記憶媒体及びアイコン表示方法に関する。
【背景技術】
【０００２】
従来の携帯端末機の一例として、図１４に示すように、スマートフォン（多機能型携帯電話機）１０１がある（特許文献１を参照）。スマートフォン１０１は、多様なアプリケーションソフトウェアを有するため、パーソナルコンピュータ（以下、「ＰＣ」という。）機能を有する携帯電話機といわれる。
【０００３】
従来のスマートフォン１０１の一般的な特徴としては、ＰＣで一般的に用いられる物理的なキーボードやマウスが用いられず、その代わりに、画像表示パネルの上に透明入力パネルが積層されたタッチパネル１０２が用いられる点にある。また、従来のスマートフォン１０１のタッチパネル１０２に表示されるデスクトップ画面には、電子メールクライアントやウェブブラウザなどの複数のアプリケーションソフトや各種設定を変更するメニューボタン等を各々示す複数のアイコンＩＣがタイルのように敷き詰められている点にある。複数のアイコンＩＣの中から任意のアイコンＩＣをタップ入力により選択すると、選択されたアイコンＩＣのアプリケーションソフト等が実行されるようになっている。
【先行技術文献】
【特許文献】
【０００４】
【特許文献１】特開２０１１−１６５１９２号公報
【発明の概要】
【発明が解決しようとする課題】
【０００５】
しかしながら、従来のスマートフォン１０１においては、スマートフォン１０１をその裏側から右手ＲＨ（又は左手）の手のひら及びその親指ＲＳを除く四指で支持しながらその親指ＲＳだけでアイコンＩＣを操作する場合、例えば図１４に示したメニューボタンのアイコンＩＣｍのように、親指ＲＳが届きにくい位置に配置されたアイコンＩＣをその親指ＲＳだけで操作するには、スマートフォン１０１を右手ＲＨ（又は左手）で一度持ち換える等しなければならず、その操作性が良いとはいえなかった。
【０００６】
そこで、本発明はこれらの点に鑑みてなされたものであり、デスクトップ画面上におけるアイコンのタイリングが不要となる新規なＧＵＩ（Graphical User Interface：グラフィカルユーザインタフェース）を備える携帯端末機、アイコン表示プログラム、記憶媒体及びアイコン表示方法を提供することを本発明の目的としている。
【課題を解決するための手段】
【０００７】
（１）本発明は、タッチパネルと、タッチパネルが位置入力を検出したとき、位置入力に対応する入力位置を中心にして複数のアイコンが略円弧状又は略円周状に配置されるアイコン配置画像をタッチパネルに表示させる表示制御手段と、を備える携帯端末機である。
【０００８】
（２）また、タッチパネルは、入力領域全体の縦方向及び横方向を各２分割して得た合計４個の分割入力領域を有しており、表示制御手段は、１個の分割入力領域において位置入力を検出したとき、入力位置を中心として位置入力を検出した１個の分割入力領域から他の３個の分割入力領域に向かう方向を径方向とする約１／４円の略円弧状に複数のアイコンが配置されるアイコン配置画像をタッチパネルに表示させる、ことが好ましい。
【０００９】
（３）また、タッチパネルは、入力領域全体の中央付近に配置された中央入力領域と、中央入力領域を除いた入力領域全体の縦方向及び横方向を各２分割して得た４個の分割入力領域を有しており、表示制御手段は、中央入力領域において位置入力を検出したとき、入力位置を中心とする略円周状に複数のアイコンが配置されるアイコン配置画像をタッチパネルに表示させると共に、１個の分割入力領域において位置入力を検出したとき、入力位置を中心として位置入力を検出した１個の分割入力領域から他の３個の分割入力領域に向かう方向を径方向とする約１／４円の略円弧状に複数のアイコンが配置されるアイコン配置画像をタッチパネルに表示させる、ことが好ましい。
【００１０】
（４）また、アイコン配置画像を表示させるためにタッチパネルに行われる位置入力が４個の分割入力領域及び中央入力領域を含むすべての入力領域のうちのどの入力領域に偏っているかを統計し、位置入力の頻度が高い入力領域を判別する入力頻度判別手段と、を更に備えており、表示制御手段は、タッチパネルに表示させるすべての複数のアイコンから選択頻度の高い複数のアイコンを、位置入力の頻度が高い入力領域の位置入力により表示させる、ことが好ましい。
【００１１】
（５）また、表示制御手段は、タッチパネルが位置入力を検出したとき、入力位置から複数のアイコンが放射状に放出されるアイコン放射画像をタッチパネルに表示させた後、アイコン配置画像をタッチパネルに表示させる、ことが好ましい。
【００１２】
（６）また、位置入力は、タッチパネルに対するシングルタップ入力であり、表示制御手段は、タッチパネルが他の位置入力を検出するまで、アイコン配置画像をタッチパネルに継続して表示させる、ことが好ましい。
【００１３】
（７）また、表示制御手段は、タッチパネルが位置入力を検出するまで、タッチパネルに表示されるデスクトップ画面上に、アイコンを含むすべてのＵＩグラフィックをタッチパネルに表示させない、ことが好ましい。
【００１４】
（８）また、測位センサ、加速度センサ及び方位センサのうちの少なくとも１つ以上から得たセンサデータ及び地図データに基づき現在のロケーションを判別するロケーション判別手段と、を更に備えており、表示制御手段は、現在のロケーションに応じて複数のアイコンの取捨選択及び並び替えを行う、ことが好ましい。
【００１５】
（９）また、表示制御手段は、複数のアイコンの選択頻度に応じて複数のアイコンの取捨選択及び並び替えを行う、ことが好ましい。
【００１６】
（１０）また、本発明は、タッチパネルと、タッチパネルが位置入力を検出したとき、位置入力に対応する入力位置を中心にして複数のアイコンが略円弧状又は略円周状に配置されるアイコン配置画像をタッチパネルに表示させる表示制御手段と、としてコンピュータを機能させるアイコン表示プログラムである。
【００１７】
（１１）また、本発明は、上記のアイコン表示プログラムを記憶する記憶媒体である。
【００１８】
（１２）また、本発明は、タッチパネルに入力された位置入力を検出する検出ステップと、位置入力に対応する入力位置を中心にして複数のアイコンが略円弧状又は略円周状に配置されるアイコン配置画像をタッチパネルに表示させる画像制御ステップと、を備えるアイコン表示方法である。
【発明の効果】
【００１９】
本発明の携帯端末機、アイコン表示プログラム、記憶媒体及びアイコン表示方法によれば、複数のアイコンがデスクトップ画面上での入力位置から等距離の円弧又は円周状に配置されるので、携帯端末機に表示されるデスクトップ画面上におけるアイコンのタイリングが不要となるという効果を奏する。
【図面の簡単な説明】
【００２０】
【図１】図１は、第１実施形態の通信端末機を示す平面図である。
【図２】図２は、第１実施形態の通信端末機を示す概念図である。
【図３】図３は、第１実施形態のアイコン表示プログラムにより実行されるアイコン表示方法におけるアイコン配置の流れの一例を示すフローチャートである。
【図４】図４は、第１実施形態の通信端末機のタッチパネルにおける第１分割入力領域にシングルタップ入力を行った状態を示す平面図である。
【図５】図５は、第１実施形態の通信端末機のタッチパネルにおける第１分割入力領域にシングルタップ入力を行った直後の状態を示す平面図である。
【図６】図６は、第１実施形態の通信端末機のタッチパネルにおける第１分割入力領域にシングルタップ入力を行った入力位置から複数のアイコンが放射状に放出される状態を示す平面図である。
【図７】図７は、第１実施形態の通信端末機のタッチパネルにおける第１分割入力領域にシングルタップ入力を行った入力位置を中心として複数のアイコンが１／４円の円弧状に配置される状態を示す平面図である。
【図８】図８は、第１分割入力領域において図７と異なる入力位置を中心として複数のアイコンが１／４円の円弧状に配置される状態を示す平面図である。
【図９】図９は、第１実施形態の通信端末機のタッチパネルにおける第２分割入力領域にシングルタップ入力を行った入力位置を中心として複数のアイコンが１／４円の円弧状に配置される状態を示す平面図である。
【図１０】図１０は、第１実施形態の通信端末機のタッチパネルにおける第３分割入力領域にシングルタップ入力を行った入力位置を中心として複数のアイコンが１／４円の円弧状に配置される状態を示す平面図である。
【図１１】図１１は、第１実施形態の通信端末機のタッチパネルにおける第４分割入力領域にシングルタップ入力を行った入力位置を中心として複数のアイコンが１／４円の円弧状に配置される状態を示す平面図である。
【図１２】図１２は、第１実施形態のアイコン表示プログラムにより実行されるアイコン表示方法におけるアイコンの並び替え等の流れの一例を示すフローチャートである。
【図１３】図１３は、第２実施形態の通信端末機のタッチパネルにおける中央入力領域にシングルタップ入力を行った入力位置を中心として複数のアイコンが円周状に配置される状態を示す平面図である。
【図１４】図１４は、従来の通信端末機を示す平面図である。
【発明を実施するための形態】
【００２１】
以下、本発明の携帯端末機、アイコン表示プログラム、記憶媒体及びアイコン表示方法をその第１及び第２の実施形態により説明する。
【００２２】
はじめに、第１実施形態の携帯端末機、アイコン表示プログラム、記憶媒体及びアイコン表示方法の構成を説明する。
【００２３】
図１は、第１実施形態の通信端末機を示す平面図である。また、図２は、第１実施形態の通信端末機を示す概念図である。なお、図１の点線は後述する分割入力領域の境界を示す仮想線であり、図４以降も同様に示す。
【００２４】
［携帯端末機１Ａの一般的構成］
第１実施形態の携帯端末機１Ａは、図１に示すように、縦１２０ｍｍ×横６０ｍｍ程度の大きさに形成されたスマートフォン（多機能型携帯電話機）である。この携帯端末機１Ａは、スマートフォンの機能を発揮するため、図示しない中央処理装置、記憶装置、入出力装置及び通信装置など、携帯電話機の機能及びコンピュータの機能を有するスマートフォンとして機能するための一般的な構成要素をそれぞれ有している。
【００２５】
［携帯端末機１Ａの具体的構成］
第１実施形態の携帯端末機１Ａには第１実施形態のアイコン表示プログラムがインストールされており、その携帯端末機１Ａにおいて第１実施形態のアイコン表示方法がＧＵＩとして実行可能になっている。上記のアイコン表示プログラムは、携帯端末機１Ａの通信機能を利用してインターネット上からダウンロードすることによりインストールすることが可能である。また、携帯端末機１Ａの通信機能が利用できない場合においては、ＣＤやＵＳＢ型メモリなどの記憶媒体からＰＣを介してインストールすることも可能である。
【００２６】
また、第１実施形態の携帯端末機１Ａは、図１及び図２に示すように、タッチパネル２Ａ、表示制御手段３、入力頻度判別手段４及びロケーション判別手段５を有する。
【００２７】
（タッチパネル２Ａの構成）
タッチパネル２Ａは、画像を表示すると共に表示画像のどの位置をタッチ（位置入力）したかを検出することができる画像表示兼入力装置である。このタッチパネル２Ａは、縦８０ｍｍ×横５０ｍｍ程度の大きさに形成されており、入力領域全体２０の縦方向（＝長手方向）及び横方向（＝短手方向）を各２分割して得た合計４個の分割入力領域２１〜２４を有している。第１実施形態の入力領域全体２０において、右下の分割入力領域を第１分割入力領域２１、右上の分割入力領域を第２分割入力領域２２、左下の分割入力領域を第３分割入力領域２３、左上の分割入力領域を第４分割入力領域２４とする。
【００２８】
タッチパネル２Ａは、操作者が指やタッチペンでタッチパネル２Ａをタッチ（位置入力）したとき、その位置入力を検出すると共に、その位置入力がどの分割入力領域２１〜２４に属するのかを検出する。
【００２９】
（表示制御手段３の構成）
表示制御手段３は、タッチパネル２Ａが位置入力を検出したとき、アイコン放射画像及びアイコン配置画像の順にそれらの画像をタッチパネル２Ａに表示させるように構成されている。
【００３０】
アイコン放射画像とは、入力位置Ｐから複数のアイコンＩＣが放射状に放出される画像である（図６参照）。また、アイコン配置画像とは、位置入力に対応する入力位置Ｐを中心にして複数のアイコンＩＣが略円弧状に配置される画像である（図７参照）。アイコン放射画像及びアイコン配置画像を含む画像は、静止画（静止画像）及び動画（動画像）のどちらであってもよい。第１実施形態のアイコン放射画像は動画であり、アイコン配置画像は静止画である。
【００３１】
（入力頻度判別手段４の構成）
入力頻度判別手段４は、位置入力が４個の分割入力領域２１〜２４のうちのどの分割入力領域に偏っているかを統計し、位置入力の頻度が高い分割入力領域２１〜２４を判別するように構成されている。また、統計される位置入力は、アイコン配置画像を表示させるためにタッチパネル２Ａに行われる位置入力に限定されている。
【００３２】
（ロケーション判別手段５の構成）
ロケーション判別手段５は、ＧＰＳセンサなどの測位センサ、３軸加速度センサなどの加速度センサ及びジャイロセンサなどの方位センサのうちの少なくとも１つ以上から得たセンサデータ及び地図データに基づき現在のロケーションを判別するように構成されている。
【００３３】
このロケーション判別手段５は、ロケーション判別精度の向上のため、測位センサ、加速度センサ及び方位センサのすべてからセンサデータを得ている。また、このロケーション判別手段５は、携帯端末機１Ａの記憶装置又はその通信機能を利用したインターネットからのダウンロードにより、地図データを得ている。
【００３４】
［アイコン配置フロー］
次に、図３〜図１１を用いて、第１実施形態の携帯端末機１Ａ、アイコン表示プログラム、記憶媒体及びアイコン表示方法におけるアイコン配置フローを説明する。
【００３５】
図３は、第１実施形態のアイコン表示プログラムにより実行されるアイコン表示方法におけるアイコン配置の流れの一例を示すフローチャートである。図４は、第１実施形態の通信端末機のタッチパネル２Ａにおける第１分割入力領域２１にシングルタップ入力を行った状態を示す平面図である。図５は、第１実施形態の通信端末機のタッチパネル２Ａにおける第１分割入力領域２１にシングルタップ入力を行った直後の状態を示す平面図である。図６は、第１実施形態の通信端末機のタッチパネル２Ａにおける第１分割入力領域２１にシングルタップ入力を行った入力位置Ｐから複数のアイコンＩＣが放射状に放出される状態を示す平面図である。図７は、第１実施形態の通信端末機のタッチパネル２Ａにおける第１分割入力領域２１にシングルタップ入力を行った入力位置Ｐを中心として複数のアイコンＩＣが１／４円の円弧状に配置される状態を示す平面図である。
【００３６】
また、図８は、第１分割入力領域２１において図７と異なる入力位置Ｐを中心として複数のアイコンＩＣが１／４円の円弧状に配置される状態を示す平面図である。図９は、第１実施形態の通信端末機のタッチパネル２Ａにおける第２分割入力領域２２にシングルタップ入力を行った入力位置Ｐを中心として複数のアイコンＩＣが１／４円の円弧状に配置される状態を示す平面図である。図１０は、第１実施形態の通信端末機のタッチパネル２Ａにおける第３分割入力領域２３にシングルタップ入力を行った入力位置Ｐを中心として複数のアイコンＩＣが１／４円の円弧状に配置される状態を示す平面図である。図１１は、第１実施形態の通信端末機のタッチパネル２Ａにおける第４分割入力領域２４にシングルタップ入力を行った入力位置Ｐを中心として複数のアイコンＩＣが１／４円の円弧状に配置される状態を示す平面図である。
【００３７】
なお、図４において右手ＲＨの形を示す点線は、携帯端末機１Ａの操作者が片手で操作する状態を示しており、図５以降も同様である。また、図４又は図６において示す点線の矢印は、操作者の指ＲＳ又はアイコンＩＣの動作方向を示しており、図５以降も同様である。また、図６において示す円弧状の点線は、アイコンＩＣの配置状態を示す仮想線であり、図７以降も同様である。
【００３８】
［アイコン表示方法の主な構成］
第１実施形態の携帯端末機１Ａにより実行されるアイコン表示方法は、検出ステップと、画像制御ステップと、を備える。
【００３９】
検出ステップにおいては、タッチパネル２Ａに入力された位置入力が検出される。画像制御ステップにおいては、アイコン配置画像がタッチパネル２Ａに表示される。アイコン表示方法の詳細については、以下のアイコン配置フローにおいて説明する。
【００４０】
［アイコン配置フロー］
タッチパネル２Ａは、図３に示すように、位置入力の検出の有無を検出する（Ｓ１０１）。タッチパネル２Ａが位置入力を検出するまで、表示制御手段３は、図１に示すように、タッチパネル２Ａに表示されるデスクトップ画面上に、アイコンＩＣを含むすべてのＵＩ（User Interface：ユーザインタフェース）グラフィックをタッチパネル２Ａに表示させない（Ｓ１０１におけるＮｏのルート）。
【００４１】
タッチパネル２Ａにおける位置入力の方法としては、ユーザジェスチャ入力が挙げられる。ユーザジェスチャとしては、例えば、タッチパネル２Ａを１回タップするシングルタップ（Single Tap）入力、タッチパネル２Ａを２回タップするダブルタップ(double tap)入力、タッチパネル２Ａ上で指を払うような動作を行うフリック(flick)入力、タッチパネル２Ａの任意の一地点を押し続けるロングタッチプレス(long touch
press)入力などがある。第１実施形態の位置入力としては、タッチパネル２Ａに対するシングルタップ入力である。
【００４２】
タッチパネル２Ａは、図３及び図４に示すように、操作者が選択した入力位置Ｐに関する位置入力を検出したとき（Ｓ１０１におけるＹｅｓのルート）、その位置入力がどの分割入力領域２１〜２４への入力に属するかを検出する（Ｓ１０２）。例えば、図４における入力位置Ｐは、第１分割入力領域２１への位置入力に属する。
【００４３】
位置入力がどの分割入力領域２１〜２４への入力に属するかをタッチパネル２Ａが判別したら（Ｓ１０２）、表示制御手段３は、図３に示すように、複数のアイコンＩＣの放出方法及び配置を決定し（Ｓ１０３）、アイコンＩＣの放出（Ｓ１０４）及びアイコンＩＣの配置（Ｓ１０５）を行う。
【００４４】
例えば、図４に示すように、位置入力が第１分割入力領域２１に入力された場合、図５に示すように、入力位置Ｐに１個のアイコンＩＣが配置されるように、表示制御手段３がアイコンＩＣをタッチパネル２Ａに表示させる。
【００４５】
また、図６に示すように、複数のアイコンＩＣが入力位置Ｐから時計の９時から１２時の間の方向に放射状に放出されるように、表示制御手段３が複数のアイコンＩＣをタッチパネル２Ａに表示させる。複数のアイコンＩＣが放出される際には、アイコンの配置方向の視認性及び視覚効果の向上の観点から、図６に示すように、複数のアイコンＩＣが１個ずつ放出されると共に、入力位置Ｐから遠ざかるほどアイコンＩＣが大きくなるような表示制御が行われることが好ましい。また、複数のアイコンＩＣは、アイコンの配置方向の視認性及び視覚効果の向上の観点から、図６に示すように、直線運動を基本とした放射状に放出されるか、図示はしないが、らせん運動を基本とした放射状に放出されることが好ましい。
【００４６】
そして、図７に示すように、放出された複数のアイコンＩＣが入力位置Ｐを中心とした１／４円の円弧の上に配置されるように、表示制御手段３がアイコンＩＣをタッチパネル２Ａに表示させる。１／４円の円弧は、入力位置Ｐを中心とし、位置入力を検出した第１分割入力領域２１（１個の分割入力領域）から他の第２分割入力領域２２、第３分割入力領域２３及び第４分割入力領域２４（他の３個の分割入力領域）に向かう方向を径方向とするように決められている。１／４円の円弧の半径としては、円弧の大きさの統一性又は操作性向上の観点から、分割入力領域２１〜２４の横寸法と同等の長さ又は約１０ｍｍ〜３０ｍｍが好ましい。また、１／４円の円弧としては、その中心角が正確に９０度であったり、その円弧が正確な円弧の形状であったりする必要はないため、その中心角が約９０度となる約１／４円の略円弧であってもよい。また、上記した、複数のアイコンＩＣの放出方向である入力位置Ｐから時計の９時から１２時の間の方向とは、第１実施形態の１／４円の円弧に向かう方向である。
【００４７】
図３のアイコンＩＣの放出（Ｓ１０４）及びアイコンＩＣの配置（Ｓ１０５）が終了すると、タッチパネル２Ａが他の位置入力を検出するまで、表示制御手段３は、アイコン配置画像をタッチパネル２Ａに継続して表示させる（Ｓ１０６におけるＮｏのルート及びＳ１０７におけるＮｏのルート）。これは、上記の通り、位置入力の入力方法がロングタッチプレス入力でなく、シングルタップ入力であることにより容易に実現する。
【００４８】
タッチパネル２Ａが、第１分割入力領域２１、第２分割入力領域２２、第３分割入力領域２３又は第４分割入力領域２４のいずれかの分割入力領域において、アイコンＩＣの選択を除く他の位置入力を検出したとき（Ｓ１０６におけるＹｅｓのルート）、図８から図１１のいずれかに示すように、検出した入力位置Ｐに基づき、再度、図３に示す分割入力領域２１〜２４の判別（Ｓ１０２）、アイコンＩＣの放出方法及び配置の決定（Ｓ１０３）、アイコンＩＣの放出（Ｓ１０４）及びアイコンＩＣの配置（Ｓ１０５）を行う。
【００４９】
一方、タッチパネル２Ａが、アイコンＩＣの選択を除く他の位置入力を検出せず（Ｓ１０６におけるＮｏのルート）、かつ、タップ入力等によるアイコンＩＣの選択を検出したとき（Ｓ１０７におけるＹｅｓのルート）、選択されたアイコンＩＣのアプリケーションソフト等が実行される。これに伴い、アイコン配置フローは終了する。
【００５０】
［アイコン並替等のフロー］
次に、図１２を用いて、第１実施形態の携帯端末機１Ａ、アイコン表示プログラム、記憶媒体及びアイコン表示方法におけるアイコン並替等のフローを説明する。
【００５１】
図１２は、第１実施形態のアイコン表示プログラムにより実行されるアイコン表示方法におけるアイコンＩＣの並び替え等の流れの一例を示すフローチャートである。
【００５２】
［アイコンＩＣの並び替え等に関するフロー］
アイコンＩＣの並び替え等に関する以下のフローは、上記した図３のアイコンＩＣの配置決定（Ｓ１０３）の際に行われる。
【００５３】
ロケーション判別手段５は、図１２に示すように、上記したセンサデータ及び地図データから、現在のロケーションを判別する（Ｓ２０１）。ロケーションの一例としては、自宅内、図書館等の静寂な施設内、駅構内、空港内、会社内、上記以外の施設内、屋外などが挙げられる。ロケーションの判別は、地図データに基づき、現在位置（ＧＰＳセンサ）、移動加速度（加速度センサ）及び移動方向（方位センサ）を特定できれば、大抵のロケーションは判別可能である。
【００５４】
一方、表示制御手段３は、現在のロケーションと関連させずに、アイコンＩＣの選択履歴に基づいて得た複数のアイコンＩＣの選択頻度を検出する（Ｓ２０２）。
【００５５】
例えば、仕事に熱心に取り組み、ゲームを一切行わないビジネスパーソンが第１実施形態の携帯端末機１Ａを利用した場合、電話機能、電子メール機能、ウェブブラウザ機能等に関するアイコンＩＣの選択頻度が高く、ゲーム機能に関するアイコンＩＣの選択頻度が０に限りなく近くなる。そのため、表示制御手段３は、そのアイコンＩＣの選択履歴に応じたアイコンＩＣの選択頻度を検出することができる。
【００５６】
また、表示制御手段３は、図１２に示すように、現在のロケーション及びアイコンＩＣの選択頻度に応じて、複数のアイコンＩＣの取捨選択及び並び替えを行う（Ｓ２０３及びＳ２０４）。
【００５７】
例えば、上記のビジネスパーソンが屋外にいる場合、電話機能、電子メール機能、ウェブブラウザ機能等に関するアイコンＩＣが選択されやすい位置に並び替えられると共に、ゲーム機能に関するアイコンＩＣが選択されにくい位置に並び替えられたり、削除されたりする。
【００５８】
一方、上記のビジネスパーソンが電車等の公共交通に乗車した場合、車内での通話は少なくともマナーとして好ましくないため、選択頻度が高い上記のアイコンＩＣの中で電話機能に関するアイコンＩＣを上記のビジネスパーソンが選択することが困難なように、電話機能に関するアイコンＩＣが一時的に選択されにくい位置に並び替えられたり、暇つぶしになりやすいゲーム機能に関するアイコンＩＣが選択されやすい位置に一時的に並び替えられたりする。つまり、表示制御手段３は、ロケーションに応じたコンテキストメニューを提供する。
【００５９】
また、入力頻度判別手段４は、図１２に示すように、位置入力が４個の分割入力領域２１〜２４のうちのどの分割入力領域に偏っているかを統計し、位置入力の頻度が高い分割入力領域２１〜２４を判別する（Ｓ２０５）。
【００６０】
例えば、図４などのように、操作者が第１実施形態の携帯端末機１Ａを右手ＲＨで支持しながら右手ＲＨの親指ＲＳで操作した場合、入力領域全体２０の右下に配置された第１分割入力領域２１への位置入力が最も多く、その左上の第４分割入力領域２４への位置入力が最も少ない。また、右上の第２分割入力領域２２への入力傾向及び左下の第３分割入力領域２３への入力傾向は、操作者により異なる。このような入力傾向を入力履歴から統計することにより、第１実施形態の携帯端末機１Ａの操作者がどの入力位置Ｐを好むかを分割入力領域２１〜２４ごとに判別する。
【００６１】
位置入力の頻度が高い分割入力領域２１〜２４の判別が終了した後（Ｓ２０５）、図１２に示すように、表示制御手段３は、現在のロケーション及びアイコンＩＣの選択頻度に応じて取捨選択及び並び替えを行ったすべてのアイコンＩＣから（Ｓ２０３及びＳ２０４）、選択頻度の高い複数のアイコンＩＣを、位置入力の頻度が高い分割入力領域２１〜２４の位置入力により優先的に表示させる（Ｓ２０６）。
【００６２】
例えば、上記のビジネスパーソンが右手ＲＨで支持しながら右手ＲＨの親指ＲＳで第１実施形態の携帯端末機１Ａを操作し、かつ、屋外にいる場合、電話機能、電子メール機能、ウェブブラウザ機能等に関するアイコンＩＣが第１分割入力領域２１内の位置入力により表示され、ゲーム機能に関するアイコンＩＣが第４分割入力領域２４内の位置入力により表示される。
【００６３】
一方、上記のビジネスパーソンが右手ＲＨで支持しながら右手ＲＨの親指ＲＳで第１実施形態の携帯端末機１Ａを操作し、かつ、公共交通に乗車した場合、電話機能に関するアイコンＩＣが第４分割入力領域２４内の位置入力により一時的に表示されたり、暇つぶしになりやすいゲーム機能に関するアイコンＩＣが第１分割入力領域２１内の位置入力により一時的に表示されたりする。
【００６４】
上記のアイコンＩＣの優先配置（Ｓ２０６）の終了により、図１２に示すように、アイコンＩＣの並び替え等に関するフローは終了する。
【００６５】
次に、第１実施形態の携帯端末機１Ａ、アイコン表示プログラム、記憶媒体及びアイコン表示方法の効果を説明する。
【００６６】
（１）第１実施形態の携帯端末機１Ａは、タッチパネル２Ａと、タッチパネル２Ａが位置入力を検出したとき、位置入力に対応する入力位置Ｐを中心にして複数のアイコンＩＣが略円弧状に配置されるアイコン配置画像をタッチパネル２Ａに表示させる表示制御手段３と、を備える。
【００６７】
これにより、図７に示すように、複数のアイコンＩＣが入力位置Ｐから等距離に配置されるため、携帯端末機１Ａを右手ＲＨの親指ＲＳ又は左手ＬＨの親指ＬＳのみにより操作する場合であっても、アイコンＩＣを容易に操作することができる。
【００６８】
（２）また、タッチパネル２Ａは、入力領域全体２０の縦方向及び横方向を各２分割して得た合計４個の分割入力領域２１〜２４を有しており、表示制御手段３は、１個の分割入力領域において位置入力を検出したとき、入力位置Ｐを中心として位置入力を検出した１個の分割入力領域から他の３個の分割入力領域に向かう方向を径方向とする約１／４円の略円弧状に複数のアイコンＩＣが配置されるアイコン配置画像をタッチパネル２Ａに表示させる、ことが好ましい。
【００６９】
これにより、図８から図１１に示すように、複数のアイコンＩＣが右手ＲＨの親指ＲＳ又は左手ＬＨの親指ＬＳを伸ばす方向に配置されるため、親指ＲＳ，ＬＳによるアイコンＩＣの操作性を向上させることができる。
【００７０】
（３）また、アイコン配置画像を表示させるためにタッチパネル２Ａに行われる位置入力が４個の分割入力領域２１〜２４のうちのどの分割入力領域に偏っているかを統計し、位置入力の頻度が高い分割入力領域２１〜２４を判別する入力頻度判別手段４と、を更に備えており、表示制御手段３は、タッチパネル２Ａに表示させるすべての複数のアイコンＩＣから選択頻度の高い複数のアイコンＩＣを、位置入力の頻度が高い分割入力領域２１〜２４の位置入力により表示させる、ことが好ましい。
【００７１】
これにより、位置入力が行いやすい分割入力領域２１〜２４の位置入力により頻繁に選択する複数のアイコンＩＣを表示させることができる。
【００７２】
（４）また、表示制御手段３は、タッチパネル２Ａが位置入力を検出したとき、入力位置Ｐから複数のアイコンＩＣが放射状に放出されるアイコン放射画像をタッチパネル２Ａに表示させた後、アイコン配置画像をタッチパネル２Ａに表示させる、ことが好ましい。
【００７３】
これにより、アイコンＩＣの配置方向がどの方向になるかを容易に認識することができると共に、視覚効果を向上させることができる。
【００７４】
（５）また、位置入力は、タッチパネル２Ａに対するシングルタップ入力であり、表示制御手段３は、タッチパネル２Ａが他の位置入力を検出するまで、アイコン配置画像をタッチパネル２Ａに継続して表示させる、ことが好ましい。
【００７５】
これにより、ロングタッチプレス入力によりアイコンＩＣの表示を継続させる手間を排除することができると共に、アイコンＩＣの選択について操作者に時間的余裕を与えることができる。
【００７６】
（６）また、表示制御手段３は、タッチパネル２Ａが位置入力を検出するまで、タッチパネル２Ａに表示されるデスクトップ画面上に、アイコンＩＣを含むすべてのＵＩグラフィックをタッチパネル２Ａに表示させない、ことが好ましい。
【００７７】
これにより、デスクトップ画面にアイコンＩＣがないからタッチパネル２Ａを触ってみれば何か起こるかもしれないという考えを操作者に与えることができるため、取扱説明書等であえてアイコンＩＣの表示方法を説明せずとも、操作者がタッチパネル２Ａに自然に位置入力し、悩むことなくアイコンＩＣを表示させることができる。
【００７８】
（７）また、測位センサ、加速度センサ及び方位センサのうちの少なくとも１つ以上から得たセンサデータ及び地図データに基づき現在のロケーションを判別するロケーション判別手段５と、を更に備えており、表示制御手段３は、現在のロケーションに応じて複数のアイコンＩＣの取捨選択及び並び替えを行う、ことが好ましい。
【００７９】
これにより、ロケーションに応じた最適なアイコンＩＣの選択を迅速かつ容易に行うことができる。
【００８０】
（８）また、表示制御手段３は、複数のアイコンＩＣの選択頻度に応じて複数のアイコンＩＣの取捨選択及び並び替えを行う、ことが好ましい。
【００８１】
これにより、アイコンＩＣの選択頻度に応じた最適なアイコンＩＣの選択を迅速かつ容易に行うことができる。
【００８２】
（９）なお、第１実施形態のアイコン表示プログラムが第１実施形態の携帯端末機１Ａにインストールされると、その携帯端末機１Ａは第１実施形態のアイコン表示方法を実行する。また、アイコン表示プログラムは、アイコン表示プログラムが記憶された記憶媒体又はインターネット上のサイト等から入手可能である。そのため、第１のアイコン表示プログラム、記憶媒体及びアイコン表示方法は、第１実施形態の携帯端末機１Ａと同様の効果を奏する。
【００８３】
次に、第２実施形態の携帯端末機１Ｂ、アイコン表示プログラム、記憶媒体及びアイコン表示方法の構成を説明する。
【００８４】
図１３は、第２実施形態の通信端末機のタッチパネル２Ｂにおける中央入力領域２５にシングルタップ入力を行った入力位置Ｐを中心として複数のアイコンＩＣが円周状に配置される状態を示す平面図である。
【００８５】
［第１実施形態及び第２実施形態の相違点と共通点］
第２実施形態の携帯端末機１Ｂは、第１実施形態と比較して、タッチパネル２Ｂの入力領域の区分け、複数のアイコンＩＣの配置方法及び入力頻度判別手段４について相違し、その他の点について共通する。
【００８６】
また、第２実施形態の携帯端末機１Ｂには第２実施形態のアイコン表示プログラムがインストールされており、その携帯端末機１Ｂにおいて第２実施形態のアイコン表示方法がＧＵＩとして実行可能になっている点や、上記のアイコン表示プログラムは、携帯端末機１Ｂの通信機能を利用してインターネット上からダウンロードすることによりインストールすることが可能であり、携帯端末機１Ｂの通信機能が利用できない場合においては、記憶媒体からＰＣを介してインストールすることも可能である点についても共通する。
【００８７】
したがって、以下、第１実施形態との相違点を説明する。
【００８８】
（タッチパネル２Ｂの構成）
タッチパネル２Ｂは、図１３に示すように、中央入力領域２５及び４個の分割入力領域２１〜２４を有している。
【００８９】
中央入力領域２５は、入力領域全体２０の中央付近に配置されている。中央入力領域２５は、円形状又は楕円形状に構成されていることが好ましい。中央入力領域２５が円形状の場合、中央入力領域２５の直径の長さは、入力領域全体２０の短手方向（図１３においては横方向）の寸法の１／３程度であることが好ましい。また、中央入力領域２５が楕円形状の場合、中央入力領域２５の長径の長さが入力領域全体２０の長手方向（図１３においては縦方向）の寸法の１／３程度であり、中央入力領域２５の短径の長さが入力領域全体２０の短手方向（図１３においては横方向）の寸法の１／３程度であることが好ましい。
【００９０】
また、４個の分割入力領域２１〜２４は、中央入力領域２５を除いた入力領域全体２０の縦方向及び横方向を各２分割して得た領域である。
【００９１】
（表示制御手段３の構成）
表示制御手段３は、図１３に示すように、中央入力領域２５において位置入力を検出したとき、入力位置ＰにアイコンＩＣが配置されると共に入力位置Ｐを中心として略円周状に複数のアイコンＩＣが配置されるアイコン配置画像をタッチパネル２Ｂに表示させる。また、表示制御手段３は、第１分割入力領域２１、第２分割入力領域２２、第３分割入力領域２３又は第４分割入力領域２４のいずれか１個の分割入力領域において位置入力を検出したとき、第１実施形態と同様、図８から図１１に示すように、所定の約１／４円の略円弧状に複数のアイコンＩＣが配置されるアイコン配置画像をタッチパネル２Ｂに表示させる。約１／４円の略円弧の条件は第１実施形態と同様である。
【００９２】
［アイコンＩＣの並び替え等に関するフロー］
図１２に示すアイコンＩＣの並び替え等に関するフローにおいて、位置入力の頻度が高い分割入力領域２１〜２４の判別（Ｓ２０５）及びアイコンＩＣの優先配置（Ｓ２０６）が第１実施形態と異なり、他のロケーションの判別（Ｓ２０１）、アイコンＩＣの選択頻度検出（Ｓ２０２）、アイコンＩＣの取捨選択（Ｓ２０３）及びアイコンＩＣの並び替え（Ｓ２０４）については共通する。
【００９３】
入力頻度判別手段４は、位置入力が４個の分割入力領域２１〜２４及び中央入力領域２５を含むすべての入力領域のうちのどの入力領域に偏っているかを統計し、位置入力の頻度が高い入力領域を判別する（Ｓ２０５）。
【００９４】
位置入力の頻度が高い入力領域の判別が終了した後（Ｓ２０５）、表示制御手段３は、現在のロケーション及びアイコンＩＣの選択頻度に応じて取捨選択及び並び替えを行ったすべてのアイコンＩＣから（Ｓ２０３及びＳ２０４）、選択頻度の高い複数のアイコンＩＣを、位置入力の頻度が高い入力領域の位置入力により優先的に表示させる（Ｓ２０６）。
【００９５】
つまり、第１実施形態との相違点は、入力頻度判別手段４が４個の分割入力領域２１〜２４だけでなく、中央入力領域２５を含むすべての入力領域２１〜２５の中で位置入力の頻度が高い入力領域を判別すると共に、表示制御手段３は、４個の分割入力領域２１〜２４だけでなく、中央入力領域２５を含むすべての入力領域２１〜２５を考慮してアイコンＩＣの優先配置を行う点にある。
【００９６】
次に、第２実施形態の携帯端末機１Ｂ、アイコン表示プログラム、記憶媒体及びアイコン表示方法の効果を説明する。
【００９７】
（１０）第２実施形態の携帯端末機１Ｂは、タッチパネル２Ｂと、タッチパネル２Ｂが位置入力を検出したとき、位置入力に対応する入力位置Ｐを中心にして複数のアイコンＩＣが略円弧状又は略円周状に配置されるアイコン配置画像をタッチパネル２Ｂに表示させる表示制御手段３と、を備える。
【００９８】
また、タッチパネル２Ｂは、入力領域全体２０の中央付近に配置された中央入力領域２５と、中央入力領域２５を除いた入力領域全体２０の縦方向及び横方向を各２分割して得た４個の分割入力領域２１〜２４と、を有している、ことが好ましい。
【００９９】
また、表示制御手段３は、中央入力領域２５において位置入力を検出したとき、入力位置Ｐを中心とする略円周状に複数のアイコンＩＣが配置されるアイコン配置画像をタッチパネル２Ｂに表示させると共に、１個の分割入力領域において位置入力を検出したとき、入力位置Ｐを中心として位置入力を検出した１個の分割入力領域から他の３個の分割入力領域に向かう方向を径方向とする約１／４円の略円弧状に複数のアイコンＩＣが配置されるアイコン配置画像をタッチパネル２Ｂに表示させる、ことが好ましい。
【０１００】
これにより、図８から図１１に示すように、複数のアイコンＩＣが右手ＲＨの親指ＲＳ又は左手ＬＨの親指ＬＳを伸ばす方向に配置されるため、親指ＲＳ，ＬＳによるアイコンＩＣの操作性を向上させることができる。また、図１３に示すように、中央入力領域２５において位置入力を検出したとき、操作性を損なうことなく多数のアイコンＩＣを表示することができるので、第１実施形態よりも多くのアイコンＩＣの選択を行うことができる。
【０１０１】
（１１）また、アイコン配置画像を表示させるためにタッチパネル２Ｂに行われる位置入力が４個の分割入力領域２１〜２４及び中央入力領域２５を含むすべての入力領域のうちのどの入力領域に偏っているかを統計し、位置入力の頻度が高い入力領域を判別する入力頻度判別手段４と、を更に備えており、表示制御手段３は、タッチパネル２Ｂに表示させるすべての複数のアイコンＩＣから選択頻度の高い複数のアイコンＩＣを、位置入力の頻度が高い入力領域の位置入力により表示させる、ことが好ましい。
【０１０２】
これにより、位置入力が行いやすい分割入力領域２１〜２４及び中央入力領域２５の位置入力により頻繁に選択する複数のアイコンＩＣを表示させることができる。
【０１０３】
（１２）なお、第２実施形態のアイコン表示プログラムが第２実施形態の携帯端末機１Ｂにインストールされると、その携帯端末機１Ｂは第２実施形態のアイコン表示方法を実行する。また、アイコン表示プログラムは、アイコン表示プログラムが記憶された記憶媒体又はインターネット上のサイト等から入手可能である。そのため、第２のアイコン表示プログラム、記憶媒体及びアイコン表示方法は、第２実施形態の携帯端末機１Ｂと同様の効果を奏する。
【０１０４】
すなわち、本実施形態の携帯端末機、アイコン表示プログラム、記憶媒体及びアイコン表示方法によれば、複数のアイコンがデスクトップ画面上での入力位置から等距離の円弧又は円周状に配置されるので、携帯端末機に表示されるデスクトップ画面上におけるアイコンのタイリングが不要となるという効果を奏する。
【０１０５】
なお、本発明は、前述した実施形態などに限定されるものではなく、必要に応じて種々の変更が可能である。
【符号の説明】
【０１０６】
１Ａ、１Ｂ  携帯端末機
２Ａ、２Ｂ  タッチパネル
３  表示制御手段
４  入力頻度判別手段
５  ロケーション判別手段
２０  入力領域全体
２１  第１分割入力領域
２２  第２分割入力領域
２３  第３分割入力領域
２４  第４分割入力領域
２５  中央入力領域
ＩＣ  アイコン
ＬＨ  左手
ＬＳ  （左手の）親指
Ｐ  入力位置
ＲＨ  右手
ＲＳ  （右手の）親指
【図１】
2013222238.tif 000003
【図２】
2013222238.tif 000004
【図３】
2013222238.tif 000005
【図４】
2013222238.tif 000006
【図５】
2013222238.tif 000007
【図６】
2013222238.tif 000008
【図７】
2013222238.tif 000009
【図８】
2013222238.tif 000010
【図９】
2013222238.tif 000011
【図１０】
2013222238.tif 000012
【図１１】
2013222238.tif 000013
【図１２】
2013222238.tif 000014
【図１３】
2013222238.tif 000015
【図１４】
2013222238.tif 000016